(57)【要約】【課題】機器の操作方法等の動画をより分り易くかつ短時間に繰り返し表示することが可能な表示制御装置を提供する。【解決手段】多機能画像形成装置の操作方法の表示に際し、１回目は、全ての動画を通常の速度で一通り再生し、２回目以降は、動画別に、再生したり再生しなかったり、あるいは再生しても、再生速度を１回目とは異なる速度に変更している。ここでは、オープニングの動画及びシーンＳ２の動画の重要性が非常に低いことから、これらの動画を再生せず、シーンＳ１の動画の重要性が低いことから、この動画の再生速度を速くし、シーンＳ３の動画の重要性が高いことから、この動画の再生速度を遅くし、ハイライトの動画の重要性が通常であることから、この動画の再生速度を通常の速度にしている。これにより、利用者にとっては、操作方法が理解し易く、また時間の節約にもなる。【選択図】図４
2009128782.tif 000002
【特許請求の範囲】
【請求項１】
種々の画像データを繰り返し画面に表示する表示制御装置において、
画像データ毎に、画像データの表示回数に応じた該画像データの表示制御方法を入力設定する入力設定手段と、
画像データ毎に、前記入力設定手段により入力設定された表示回数に応じた画像データの表示制御方法を記憶する記憶手段と、
画像データの繰り返し表示に際し、画像データの表示回数を求め、前記記憶手段に記憶されている該表示回数に応じた該画像データの表示制御方法により該画像データを表示する制御手段とを備えることを特徴とする表示制御装置。
【請求項２】
前記画像データは、動画を示すことを特徴とする請求項１に記載の表示制御装置。
【請求項３】
前記画像データは、順次切り換え表示される複数の静止画を示すことを特徴とする請求項１に記載の表示制御装置。
【請求項４】
前記表示制御方法は、画像データの再生速度を示すことを特徴とする請求項１に記載の表示制御装置。
【請求項５】
前記表示制御方法は、画像データの非表示を示すことを特徴とする請求項１に記載の表示制御装置。
【請求項６】
前記表示制御装置は、機器に適用され、
前記制御手段は、前記機器の待機中に、表示回数に応じた画像データの表示制御方法により該画像データの表示を行うことを特徴とする請求項１に記載の表示制御装置。
【請求項７】
前記表示制御装置は、機器に適用され、
前記制御手段は、前記機器の動作中に、表示回数に応じた画像データの表示制御方法により該画像データの表示を行うことを特徴とする請求項１に記載の表示制御装置。
【請求項８】
前記表示制御装置は、機器に適用され、
前記画像データは、前記機器の機能説明、及び広告画像のいずれかであることを特徴とする請求項１に記載の表示制御装置。
【請求項９】
請求項１乃至８のいずれか一つに記載の表示制御装置を用いた画像形成装置。
【発明の詳細な説明】
【技術分野】
【０００１】
本発明は、種々の画像データを繰り返し画面に表示する表示制御装置及びそれを用いた画像形成装置に関する。
【背景技術】
【０００２】
コンビニエンスストアーなどの店舗に設置された複写機やファクシミリ装置などの機器には、表示画面が設けられており、この表示画面に機器の操作方法等が表示されるようになっている。
【０００３】
ところが、通常、機器の待機中は表示画面の表示内容が固定的に設定されたままであることから、表示画面の利用範囲を拡大する余地がある。また、機器の動作中は機器の操作方法等が表示されるが、静止画像で表示されるだけなので、表示画面を観ている利用者にとっては、分り易い表示であるとは言えなかった。
【０００４】
このため、機器の操作方法等を動画で表示することが考えられるが、動画の再生には時間がかかり、操作方法の確実な理解のために動画が繰り返し表示されたのでは、長い時間が費やされることになる。
【０００５】
一方、特許文献１には、マウス等の操作により、表示画面に表示されている動画の再生速度を容易に調節設定することを可能にする技術が記載されている。この特許文献１の技術を適用すれば、動画の再生速度を容易に調節することができ、動画の再生時間を短縮することが可能となる。
【０００６】
また、特許文献２には、動画をダイジェスト編集する技術記載されている。この特許文献２の技術を適用すれば、動画の開始から終了までの主要な箇所だけが表示され、やはり動画の再生時間を短縮することが可能となる。
【特許文献１】特開平１１−３２３０４号公報
【特許文献２】特開２００５−４５５７４号公報
【発明の開示】
【発明が解決しようとする課題】
【０００７】
しかしながら、特許文献１のように動画の再生速度を容易に調節することができても、機器の初めての利用者にとっては、動画のいずれの箇所が重要であるかが分らないので、使い勝手が良いとはいえない。
【０００８】
また、特許文献２のように動画をダイジェスト編集した場合は、動画の開始から終了までの主要な箇所だけが表示されるので、動画の重要な箇所が詳細に表示されず、使い勝手が良いとはいえない。
【０００９】
そこで、本発明は、上記従来の問題に鑑みてなされたものであり、機器の操作方法等の動画をより分り易くかつ短時間に繰り返し表示することが可能な表示制御装置及びそれを用いた画像形成装置を提供することを目的とする。
【課題を解決するための手段】
【００１０】
上記課題を解決するために、本発明の表示制御装置は、種々の画像データを繰り返し画面に表示する表示制御装置において、画像データ毎に、画像データの表示回数に応じた該画像データの表示制御方法を入力設定する入力設定手段と、画像データ毎に、前記入力設定手段により入力設定された表示回数に応じた画像データの表示制御方法を記憶する記憶手段と、画像データの繰り返し表示に際し、画像データの表示回数を求め、前記記憶手段に記憶されている該表示回数に応じた該画像データの表示制御方法により該画像データを表示する制御手段とを備えている。
【００１１】
また、前記画像データは、動画を示している。
【００１２】
更に、前記画像データは、順次切り換え表示される複数の静止画を示している。
【００１３】
また、前記表示制御方法は、画像データの再生速度を示している。
【００１４】
更に、前記表示制御方法は、画像データの非表示を示している。
【００１５】
また、前記表示制御装置は、機器に適用され、前記制御手段は、前記機器の待機中に、表示回数に応じた画像データの表示制御方法により該画像データの表示を行っている。
【００１６】
更に、前記表示制御装置は、機器に適用され、前記制御手段は、前記機器の動作中に、表示回数に応じた画像データの表示制御方法により該画像データの表示を行っている。
【００１７】
また、前記表示制御装置は、機器に適用され、前記画像データは、前記機器の機能説明、及び広告画像のいずれかである。
【００１８】
一方、本発明の画像形成装置は、上記本発明の表示制御装置を用いている。
【発明の効果】
【００１９】
このような本発明の表示制御装置によれば、種々の画像データを繰り返し画面に表示するに際し、画像データの表示回数を求め、この表示回数に応じた画像データの表示制御方法により該画像データを表示している。画像データは、動画であっても、また順次切り換え表示される複数の静止画であっても良く、その内容が如何なるものであっても構わない。例えば、表示回数に応じて画像データの再生速度を調節したり、画像データを非表示とする。これにより、最初の表示のときには画像データを通常の再生速度で再生し、２回目以降の表示のときには画像データの再生速度を速くしたり、画像データを非表示とし、動画や複数の静止画のうちの必要な箇所だけを速やかに表示したり、重要でない箇所を非表示とし、再生時間を短縮しながらも、使い勝手を向上させることができる。
【００２０】
また、表示制御装置が適用された機器の待機中には、機器の新機能や多様な広告等を繰り返し表示することができ、その表示制御方法の切り換えにより、表示内容のアピール度を高くすることができる。
【００２１】
更に、表示制御装置が適用された機器の動作中には、機器の操作方法を繰り返し表示することができ、その表示制御方法の切り換えにより、操作方法の速やかなる理解が可能になる。例えば、最初の表示のときには画像データを通常の再生速度で再生し、２回目以降の表示のときには必要な箇所だけを遅い速度で表示したり、重要でない箇所を非表示とする。
【００２２】
また、画像データとしては、機器の機能説明や広告画像等が考えられる。
【００２３】
一方、本発明の画像形成装置は、上記本発明の表示制御装置を用いているので、同様の作用効果を奏する。
【発明を実施するための最良の形態】
【００２４】
以下、本発明の表示制御装置の実施形態を詳細に説明する。
【００２５】
図１は、本発明の表示制御装置の一実施形態を示すブロック図である。本実施形態の表示制御装置１は、コンビニエンスストアーなどの店舗に設置された複写機能やファクシミリ機能を有する多機能画像形成装置に搭載され、主に、多機能画像形成装置の操作方法を表示するために用いられる。
【００２６】
本実施形態の表示制御装置１では、液晶表示装置２及び複数の操作キー３を有する操作パネル４と、複数の画像データを記憶した大容量メモリ５と、ＣＰＵやインタフェースから構成される制御部６と、表示制御に係わるプログラムやデータ等を記憶したＲＯＭ７と、プログラムの一時的な展開などに用いられるＲＡＭ８とを備えている。制御部６は、操作パネル４の入力操作に応答してＲＯＭ７からプログラムを読み出し、プログラムをＲＡＭ８に展開して実行したり、大容量メモリ５から画像データを読み出し、画像データによって示される動画等を操作パネル４の液晶表示装置２の画面に再生表示する。
【００２７】
大容量メモリ５内の画像データは、例えば多機能画像形成装置の操作方法の動画を示すものであり、図４（ａ）に示すようにオープニングの動画を示す画像データＤＰ、シーンＳ１の動画を示す画像データＤ１、シーンＳ２の動画を示す画像データＤ２、シーンＳ３の動画を示す画像データＤ３、及びハイライトの動画を示す画像データＤＨからなり、これらの画像データＤＰ、Ｄ１〜Ｄ３、ＤＨによって示されるそれぞれの動画を順次再生表示することにより、多機能画像形成装置の操作方法の全動画が再生されることになる。
【００２８】
また、多機能画像形成装置の操作方法の全動画を一通り再生した後では、同様の再生を繰り返すよりも、重要な箇所だけを繰り返し再生したり、重要でない箇所を非表示とした方が、利用者にとっては、操作方法が理解し易く、また時間の節約にもなる。
【００２９】
そこで、本実施形態では、各画像データＤＰ、Ｄ１〜Ｄ３、ＤＨを繰り返し表示するときに、２回目以降の表示については、各画像データＤＰ、Ｄ１〜Ｄ３、ＤＨ別に、画像データの表示制御方法を変更することできるようにしている。
【００３０】
２回目以降の表示制御方法を変更するには、この２回目以降の表示制御方法を予め設定しておく必要がある。ここでは、操作パネル４の操作キー３を入力操作して、表示制御方法の設定を指示すると、制御部６により図２に示すような設定画面１１が操作パネル４の液晶表示装置２の画面に表示されるので、操作キー３の入力操作により、画像データ別に、２回目以降の表示制御方法を設定画面１１に書き込んで設定する。この操作は、店員や店舗の管理者等が行う。
【００３１】
図２の設定画面１１においては、各画像データＤＰ、Ｄ１〜Ｄ３、ＤＨに対応するオープニング、シーンＳ１、シーンＳ２、シーンＳ３、及びハイライトの項目があり、項目別に、画像データを再生するか否か、及び画像データの再生速度を書き込んで設定することができる。例えば、画像データＤＰのオープニングについては、非再生を示す「ＯＦＦ」が書き込まれ、よって再生速度が無効となって、再生速度の表示が薄くなっている。また、画像データＤ１のシーンＳ１については、再生を示す「ＯＮ」が書き込まれ、速い再生速度を示す「４（ＦＡＳＴ）」が書き込まれている。同様に、画像データＤ２のシーンＳ２については、非再生を示す「ＯＦＦ」が書き込まれ、よって再生速度が無効となっており、また画像データＤ３のシーンＳ３については、再生を示す「ＯＮ」が書き込まれ、非常に遅い再生速度を示す「１（ＶＥＲＹＳＬＯＷ）」が書き込まれ、更に画像データＤＨのハイライトについては、再生を示す「ＯＮ」が書き込まれ、通常の再生速度を示す「３（ＮＯＭＡＬ）」が書き込まれている。尚、他の再生速度として、「２（ＳＬＯＷ）」及び「５（ＶＥＲＹＦＡＳＴ）」を設定することができ、よって５段階の再生速度の設定が可能である。
【００３２】
こうして画像データ別に、２回目以降の表示制御方法を設定画面１１に書き込んだ後に、操作キー３の入力操作により設定画面１１のＯＫボタン１２を指示すると、これに応答して制御部６は、設定画面１１上で設定された各画像データの２回目以降の表示制御方法をＲＯＭ７に記憶し、設定画面１１を閉じる。
【００３３】
次に、図３のフローチャートに従って、表示制御装置１による１回目及び２回目以降の表示制御手順を説明する。
【００３４】
まず、制御部６は、多機能画像形成装置の動作中のときに、操作キー３の入力操作により多機能画像形成装置の操作方法の表示が指示されると、大容量メモリ５から各画像データＤＰ、Ｄ１〜Ｄ３、ＤＨを順次読み出し、これらの画像データＤＰ、Ｄ１〜Ｄ３、ＤＨによって示されるオープニングの動画、シーンＳ１の動画、シーンＳ２の動画、シーンＳ３の動画、及びハイライトの動画を液晶表示装置２の画面に通常の再生速度で順次表示する（ステップ１０１）。
【００３５】
従って、図４（ａ）に示すようにオープニングの動画、シーンＳ１の動画、シーンＳ２の動画、シーンＳ３の動画、及びハイライトの動画が時間ｔの経過と共に通常の再生速度で順次表示されることになる。
【００３６】
そして、制御部６は、各画像データＤＰ、Ｄ１〜Ｄ３、ＤＨの再生を一巡して終了すると、ＲＯＭ７を検索して、各画像データの２回目以降の表示制御方法が設定されているか否かを判定する（ステップ１０２）。このとき、各画像データの２回目以降の表示制御方法が設定されていなければ（ステップ１０２で「Ｎｏ」）、制御部６は、大容量メモリ５から各画像データＤＰ、Ｄ１〜Ｄ３、ＤＨを再び順次読み出して、図４（ａ）に示すようにオープニングの動画、シーンＳ１の動画、シーンＳ２の動画、シーンＳ３の動画、及びハイライトの動画を通常の速度で順次再生表示し（ステップ１０３）、以降同様に図４（ａ）に示すような各動画の順次表示を繰り返す。
【００３７】
また、各画像データの２回目以降の表示制御方法が設定されていれば（ステップ１０２で「Ｙｅｓ」）、制御部６は、画像データ毎に、ＲＯＭ７内の２回目以降の表示制御方法を参照して、この表示制御方法で画像データによって示される動画を表示する（ステップ１０４）。ここでは、画像データＤＰのオープニングについては非再生を示す「ＯＦＦ」が設定されていることから、画像データＤＰによって示される動画が再生されず、また画像データＤ１のシーンＳ１については再生を示す「ＯＮ」及び速い再生速度を示す「４（ＦＡＳＴ）」が設定されていることから、画像データＤ１によって示される動画が早い再生速度で再生され、更に画像データＤ２のシーンＳ２については非再生を示す「ＯＦＦ」が設定されていることから、画像データＤ２によって示される動画が再生されず、また画像データＤ３のシーンＳ３については再生を示す「ＯＮ」及び非常に遅い再生速度を示す「１（ＶＥＲＹＳＬＯＷ）」が設定されていることから、画像データＤ３によって示される動画が非常に遅い再生速度で再生され、更に画像データＤＨのハイライトについては再生を示す「ＯＮ」及び通常の再生速度を示す「３（ＮＯＭＡＬ）」が設定されていることから、画像データＤＨによって示される動画が通常の再生速度で再生される。
【００３８】
従って、図４（ｂ）に示すようにシーンＳ１の動画が早く表示され、シーンＳ３の動画が遅く表示され、ハイライトの動画が通常の速度で表示され、オープニングの動画及びシーンＳ２の動画が省かれて表示されない。
【００３９】
そして、制御部６は、操作キー３の入力操作により操作方法の表示停止が指示されるまで、以降同様に図４（ｂ）に示すような各動画の順次表示を繰り返す。
【００４０】
このように本実施形態では、多機能画像形成装置の操作方法の表示に際し、１回目は、全ての動画を通常の速度で一通り再生し、２回目以降は、動画別に、再生したり再生しなかったり、あるいは再生速度を１回目とは異なる速度に変更している。例えば、オープニングの動画及びシーンＳ２の動画の重要性が非常に低いことから、これらの動画を再生せず、シーンＳ１の動画の重要性が低いことから、この動画の再生速度を速くし、シーンＳ３の動画の重要性が高いことから、この動画の再生速度を遅くし、ハイライトの動画の重要性が通常であることから、この動画の再生速度を通常の速度にしている。これにより、利用者にとっては、操作方法が理解し易くなり、また時間の節約にもなる。
【００４１】
尚、ここでは、多機能画像形成装置の操作方法を示す動画を表示しているが、多機能画像形成装置の待機中のときに、この装置の新機能や便利な機能及び店舗の広告等を示す各動画を順次表示し、これらの動画について、２回目以降の表示制御方法を設定変更しても構わない。
【００４２】
また、動画ではなく、一連の複数の静止画像を示す画像データを用いても構わない。この場合は、一連の各静止画像を順次表示し、動画の再生速度を変更する代わりに、各静止画像の表示時間間隔を変更すれば良い。
【００４３】
更に、２回目、３回目等、表示回数の増加に応じて表示制御方法を逐一変更しても構わない。また、表示制御方法に準じて、音声の再生制御方法をも変更しても良い。例えば、動画の音声別に、音声を再生したり再生しなかったり、あるいは音声の再生速度を１回目とは異なる速度に変更する。
【００４４】
また、本発明の表示装置は、画像形成装置だけではなく、ＡＴＭ等の他の機器にも適用することができ、更に、その表示内容にかかわらず適用することができる。
【図面の簡単な説明】
【００４５】
【図１】本発明の表示制御装置の一実施形態を示すブロック図である。
【図２】図１の表示制御装置における表示制御方法の設定画面を例示する図である。
【図３】図１の表示制御装置による１回目及び２回目以降の表示制御手順を示すフローチャートである。
【図４】（ａ）は通常の順序及び再生速度で再生された各動画のタイミングチャートであり、（ｂ）はそれぞれの表示制御方法に従って再生された各動画のタイミングチャートである。
【符号の説明】
【００４６】
１  表示制御装置
２  液晶表示装置
３  操作キー
４  操作パネル
５  大容量メモリ
６  制御部
７  ＲＯＭ
８  ＲＡＭ
【図１】
2009128782.tif 000003
【図２】
2009128782.tif 000004
【図３】
2009128782.tif 000005
【図４】
2009128782.tif 000006